(57)【要約】【課題】優れた出力特性を有する太陽電池モジュールを提供する。【解決手段】太陽電池モジュール１は、太陽電池１０と、第１の保護部材１２と、第２の保護部材１３と、封止材１１とを備える。第１の保護部材１２は、太陽電池１０の受光面１０ａ側に配されている。第２の保護部材１３は、太陽電池１０の裏面１０ｂ側に配されている。封止材１１は、第１の保護部材１２と第２の保護部材１３との間に配されている。封止材１１は、太陽電池１０を封止している。第１の保護部材１２は、透光板２１と、充填部２２とを有する。透光板２１は、太陽電池１０とは反対側の主面２１ａに凹凸２１ａ１を有する。充填部２２は、主面２１ａの凹部に配されている。充填部２２の屈折率は、透光板２１よりも低い。【選択図】図２
2014072201.tif 000002
【特許請求の範囲】
【請求項１】
太陽電池と、
前記太陽電池の受光面側に配された第１の保護部材と、
前記太陽電池の裏面側に配された第２の保護部材と、
前記第１の保護部材と前記第２の保護部材との間に配されており、太陽電池を封止する封止材と、
を備え、
前記第１の保護部材は、
前記太陽電池とは反対側の主面に凹凸を有する透光板と、
前記主面の凹部に配されており、前記透光板よりも屈折率が低い充填部と、
を有する、太陽電池モジュール。
【請求項２】
前記充填部は、前記主面の表面粗さが小さくなるように設けられている、請求項１に記載の太陽電池モジュール。
【請求項３】
前記主面に角錐状の凸部または角錐状の凹部がマトリクス状に設けられている、請求項１または２に記載の太陽電池モジュール。
【請求項４】
前記充填部の表面が凹状の曲面である、請求項１〜３のいずれか一項に記載の太陽電池モジュール。
【発明の詳細な説明】
【技術分野】
【０００１】
本発明は、太陽電池モジュールに関する。
【背景技術】
【０００２】
近年、環境負荷が低いエネルギー源として、太陽電池モジュールに対する注目が高まってきている。特許文献１に記載のように、太陽電池モジュールは、太陽電池と、太陽電池の受光面側に配された第１の保護部材と、太陽電池の裏面側に配された第２の保護部材と、第１の保護部材と第２の保護部材との間に配されており、太陽電池を封止する封止材とを備える。
【先行技術文献】
【特許文献】
【０００３】
【特許文献１】特開２０１２−１７５０６５号公報
【発明の概要】
【発明が解決しようとする課題】
【０００４】
太陽電池モジュールの出力特性を改善したいという要望がある。
【０００５】
本発明の主な目的は、優れた出力特性を有する太陽電池モジュールを提供することである。
【課題を解決するための手段】
【０００６】
本発明に係る太陽電池モジュールは、太陽電池と、第１の保護部材と、第２の保護部材と、封止材とを備える。第１の保護部材は、太陽電池の受光面側に配されている。第２の保護部材は、太陽電池の裏面側に配されている。封止材は、第１の保護部材と第２の保護部材との間に配されている。封止材は、太陽電池を封止している。第１の保護部材は、透光板と、充填部とを有する。透光板は、太陽電池とは反対側の主面に凹凸を有する。充填部は、主面の凹部に配されている。充填部の屈折率は、透光板よりも低い。
【発明の効果】
【０００７】
本発明によれば、優れた出力特性を有する太陽電池モジュールを提供することができる。
【図面の簡単な説明】
【０００８】
【図１】図１は、本発明の一実施形態に係る太陽電池モジュールの略図的断面図である。
【図２】図２は、本発明の一実施形態における第１の保護部材の略図的断面図である。
【図３】図３は、本発明の一実施形態における透光板の略図的平面図である。
【発明を実施するための形態】
【０００９】
以下、本発明を実施した好ましい形態の一例について説明する。但し、下記の実施形態は、単なる例示である。本発明は、下記の実施形態に何ら限定されない。
【００１０】
また、実施形態等において参照する各図面において、実質的に同一の機能を有する部材は同一の符号で参照することとする。また、実施形態等において参照する図面は、模式的に記載されたものであり、図面に描画された物体の寸法の比率などは、現実の物体の寸法の比率などとは異なる場合がある。図面相互間においても、物体の寸法比率等が異なる場合がある。具体的な物体の寸法比率等は、以下の説明を参酌して判断されるべきである。
【００１１】
図１に示されるように、太陽電池モジュール１は、太陽電池１０を備える。具体的には、太陽電池モジュール１は、配線材１４により電気的に接続された複数の太陽電池１０を備える。太陽電池１０は、受光面１０ａと、裏面１０ｂとを有する。ここで、受光面１０ａとは、一対の主面のうち、受光量が相対的に多い方の主面であり、受光量が相対的に少ない方の主面が裏面１０ｂである。太陽電池１０は、裏面１０ｂ側に第１及び第２の電極の両方が設けられた裏面接合型の太陽電池であってもよいし、受光面１０ａに第１の電極が設けられており、裏面１０ｂに第２の電極が設けられた太陽電池であってもよい。
【００１２】
太陽電池１０の受光面１０ａ側には、第１の保護部材１２が配されている。太陽電池１０の裏面１０ｂ側には、第２の保護部材１３が設けられている。第１の保護部材１２と第２の保護部材１３との間には、封止材１１が設けられている。太陽電池１０は、この封止材１１により封止されている。なお、封止材１１は、例えば、架橋性樹脂により構成されていてもよいし、非架橋性樹脂により構成されていてもよい。封止材１１は、例えば、エチレン・酢酸ビニル共重合体（ＥＶＡ）やポリオレフィンなどにより構成することができる。
【００１３】
図２に示されるように、第１の保護部材１２は、透光板２１と、充填部２２とを有する。透光板２１及び充填部２２は、それぞれ、太陽電池１０における光電変換に寄与する波長域の光の少なくとも一部を透過させる。透光板２１は、例えば、ガラス板、セラミック板、樹脂板等により構成することができる。
【００１４】
図２及び図３に示されるように、透光板２１の太陽電池１０とは反対側の主面２１ａは、凹凸２１ａ１を有する。凹凸２１ａ１は、どのような形状のものであってもよい。本実施形態では、凹凸２１ａ１は、具体的には、マトリクス状に配された角錐状の凹部により構成されている。より具体的には、凹凸２１ａ１は、マトリクス状に配された四角錐状の凹部により構成されている。もっとも、凹凸２１ａ１は、例えば、マトリクス状に配された角錐状の凹部により構成されていてもよい。
【００１５】
このように、太陽電池モジュール１では、透光板２１の主面２１ａに凹凸２１ａ１が設けられているため、主面２１ａにおける光の反射率を低くすることができる。このため、太陽電池モジュール１への光の入射率を高めることができ、ひいては、太陽電池１０の受光効率を高めることができる。従って、優れた出力特性を実現することができる。
【００１６】
また、太陽電池モジュール１では、凹凸２１ａ１の凹部に、透光板２１よりも屈折率が低い充填部２２が設けられており、主面２１ａの表面粗さが小さくされている。このため、凹凸２１ａ１の凹部にゴミ等が蓄積することにより、太陽電池モジュール１への光の入射率が低くなることが抑制されている。よって、太陽電池モジュール１では、出力特性の経時的な低下が抑制されている。
【００１７】
より優れた出力特性を実現する観点からは、充填部２２の屈折率が、透光板２１の屈折率と空気の屈折率との間の値であることがより好ましい。例えば、透光板２１の屈折率が１．４〜１．７の範囲、充填部２２の屈折率が１．１〜１．４の範囲で、透光板２１と充填部２２との間で屈折率差が生じるように透光板２１の屈折率と充填部２２の屈折率とが選択されることが好ましい。
【００１８】
また、さらに優れた出力特性を実現する観点からは、充填部２２の表面２２ａが凹状の曲面であることが好ましい。この場合、太陽電池モジュール１に対する垂直入射光の表面２２ａにおける光反射率を低減することができるため、さらに優れた出力特性を実現し得る。もっとも、充填部２２は、第１の保護部材１２の太陽電池１０とは反対側の表面が平坦となるように設けられていてもよい。この場合、凹凸２１ａ１の凹部にゴミが溜まることをより効果的に抑制することができる。
【００１９】
なお、充填部２２は、例えば、ポーラスシリカやフッ素樹脂等により構成することができる。また、充填部２２は、透光板２１の主面２１ａの表面粗さを小さく平滑化するものであればよく、主面２１ａの凹凸２１ａ１を一部もしくは完全に覆うものであってもよい。
【符号の説明】
【００２０】
１…太陽電池モジュール
１０…太陽電池
１０ａ…受光面
１０ｂ…裏面
１１…封止材
１２…第１の保護部材
１３…第２の保護部材
２１…透光板
２１ａ…透光板の主面
２１ａ１…凹凸
２２…充填部
２２ａ…充填部の表面
【図１】
2014072201.tif 000003
【図２】
2014072201.tif 000004
【図３】
2014072201.tif 000005